(57)【要約】【課題】先に取得したコンテンツデータに関連するウェブサイトを自動で検索する。【解決手段】携帯端末装置３は、アクセスプログラムを予めインストールすると共に、プロパティ情報を含む着信音楽曲データを先にダウンロードしており、アクセスプログラムの規定に基づきユーザＩＤを作成し、作成したユーザＩＤ及びプロパティ情報をサーバ装置１０へ送信する。サーバ装置１０は、特典付与を行う複数の特別サイト及び複数の一般サイトを検索対象にしており、受信したユーザＩＤが適正であることを検出した場合、複数の特別サイトを検索対象に特定し、プロパティ情報をキーワードにして検索を行う。検索でヒットした場合、サーバ装置１０はヒットしたウェブサイトの画面ページを携帯端末装置３へ送信する。【選択図】図１
2007299336.tif 000002
【特許請求の範囲】
【請求項１】
端末装置が記憶するプロパティ情報を含むコンテンツデータに関連したウェブサイトを、ネットワーク上に設けられた複数のウェブサイトの中からサーバ装置が検索するサイト検索方法であって、
前記端末装置は、
記憶するコンテンツデータに含まれるプロパティ情報を抽出し、
抽出したプロパティ情報を前記サーバ装置へ送信し、
前記サーバ装置は、
プロパティ情報を受信した場合、該プロパティ情報に関連した内容を有するウェブサイトを検索することを特徴とするサイト検索方法。
【請求項２】
前記サーバ装置は、
コンテンツデータのダウンロードが可能なウェブサイトを検索する請求項１に記載のサイト検索方法。
【請求項３】
前記端末装置は、
所定の時間間隔でプロパティ情報を抽出して前記サーバ装置へ送信する請求項１又は請求項２に記載のサイト検索方法。
【請求項４】
前記端末装置は、
識別情報作成条件に基づき識別情報を作成し、
作成した識別情報及びプロパティ情報を前記サーバ装置へ送信し、
前記サーバ装置は、
前記識別情報及びプロパティ情報を受信した場合、該識別情報が前記識別情報作成条件に一致するか否かを検出し、
前記識別情報が前記識別情報作成条件に一致することを検出した場合、複数のウェブサイトの中で一のグループに属するウェブサイトの中から検索を行う請求項１乃至請求項３のいずれか１つに記載のサイト検索方法。
【請求項５】
前記サーバ装置は、
識別情報を受信しない場合、又は受信した識別情報が前記識別情報作成条件に一致しないことを検出した場合、他のグループに属するウェブサイトの中から検索を行う請求項４に記載のサイト検索方法。
【請求項６】
前記サーバ装置は、
検索に該当したウェブサイトの画面ページを前記端末装置へ送信する請求項１乃至請求項５のいずれか１つに記載のサイト検索方法。
【請求項７】
前記サーバ装置は、
検索結果を表した画面ページを前記端末装置へ送信する請求項１乃至請求項５のいずれか１つに記載のサイト検索方法。
【請求項８】
プロパティ情報を含むコンテンツデータに関連したウェブサイトを、ネットワーク上に設けられた複数のウェブサイトの中からサーバ装置が検索するサイト検索方法であって、
前記サーバ装置は、
外部端末から送信された識別情報及びプロパティ情報を受信した場合、該識別情報が識別情報作成条件に一致するか否かを検出し、
前記識別情報が前記識別情報作成条件に一致することを検出した場合、複数のウェブサイトの中で一のグループに属するウェブサイトの中から検索を行うことを特徴とするサイト検索方法。
【請求項９】
プロパティ情報を含むコンテンツデータを記憶する端末装置が、
記憶するコンテンツデータに含まれるプロパティ情報を抽出し、
識別情報作成条件に基づき識別情報を作成し、
作成した識別情報及び抽出したプロパティ情報を送信することを特徴とする情報送信方法。
【請求項１０】
端末装置が記憶するプロパティ情報を含むコンテンツデータに関連したウェブサイトを、ネットワーク上に設けられた複数のウェブサイトの中からサーバ装置が検索するサイト検索システムであって、
前記端末装置は、
記憶するコンテンツデータに含まれるプロパティ情報を抽出する手段と、
抽出したプロパティ情報を前記サーバ装置へ送信する手段とを備え、
前記サーバ装置は、
プロパティ情報を受信した場合、該プロパティ情報に関連した内容を有するウェブサイトを検索する手段を備えることを特徴とするサイト検索システム。
【請求項１１】
前記端末装置は、
識別情報作成条件に基づき識別情報を作成する手段と、
作成した識別情報及びプロパティ情報を前記サーバ装置へ送信する手段とを備え、
前記サーバ装置は、
前記識別情報及びプロパティ情報を受信した場合、該識別情報が前記識別情報作成条件に一致するか否かを検出する手段と、
前記識別情報が前記識別情報作成条件に一致することを検出した場合、複数のウェブサイトの中で一のグループに属するウェブサイトの中から検索を行う手段とを備える請求項１０に記載のサイト検索システム。
【請求項１２】
プロパティ情報を含むコンテンツデータに関連したウェブサイトを、ネットワーク上に設けられた複数のウェブサイトの中から検索するサーバ装置であって、
外部端末から送信された識別情報及びプロパティ情報を受信した場合、該識別情報が識別情報作成条件に一致するか否かを検出する手段と、
前記識別情報が前記識別情報作成条件に一致することを検出した場合、複数のウェブサイトの中で一のグループに属するウェブサイトの中から検索を行う手段とを備えることを特徴とするサーバ装置。
【請求項１３】
プロパティ情報を含むコンテンツデータを記憶する手段と、
記憶するコンテンツデータに含まれるプロパティ情報を抽出する手段と、
識別情報作成条件に基づき識別情報を作成する手段と、
作成した識別情報及び抽出したプロパティ情報を送信する手段とを備えることを特徴とする端末装置。
【請求項１４】
通信手段を有するコンピュータに、プロパティ情報を含むコンテンツデータに関連したウェブサイトを、ネットワーク上に設けられた複数のウェブサイトの中から検索させるためのコンピュータプログラムであって、
コンピュータを、
前記通信手段で外部から送信された識別情報及びプロパティ情報を受信した場合、該識別情報が識別情報作成条件に一致するか否かを検出する手段と、
前記識別情報が前記識別情報作成条件に一致することを検出した場合、複数のウェブサイトの中で一のグループに属するウェブサイトの中から検索を行う手段として機能させることを特徴とするコンピュータプログラム。
【請求項１５】
通信手段及びプロパティ情報を含むコンテンツデータを記憶する手段を有するコンピュータに、前記通信手段で情報を送信する処理を行わせるためのコンピュータプログラムであって、
コンピュータを、
記憶するコンテンツデータに含まれるプロパティ情報を抽出する手段と、
識別情報作成条件に基づき識別情報を作成する手段と、
作成した識別情報及び抽出したプロパティ情報を前記通信手段で送信する処理を行わせる手段として機能させることを特徴とするコンピュータプログラム。
【発明の詳細な説明】
【技術分野】
【０００１】
本発明は、ユーザが取得したコンテンツデータに関連した内容を有するウェブサイトへスムーズに誘導できるようにしたサイト検索方法、サイト検索システム、サーバ装置、端末装置、及びコンピュータプログラムに関する。
【背景技術】
【０００２】
従来、携帯電話機の着信時、メール受信時などに利用できる楽曲データ（コンテンツデータ）を携帯電話機へダウンロードするサービスを行う事業体（企業体）が多数存在している。着信時及びメール受信時の楽曲データは一般に、その楽曲の一部のみである場合や、携帯電話機の内蔵シンセサイザチップの音色及び音程等を規定したファイル形式（例えばＭＩＤＩ）であることが多い。そのため、ダウンロードした楽曲データと同一曲を最初から最後まで高音質で聞くためには、同曲の音質の良い楽曲データ（フル楽曲データ）を新たに取得する必要がある。また、着信時及びメール受信時の楽曲データを演奏するアーティストをユーザが気に入り、このアーティストの別の楽曲の全範囲を聞くことをユーザが望む場合などにも、別の楽曲データ（フル楽曲データ）を新たに取得する必要がある。
【０００３】
新たな楽曲データをダウンロードにより取得する場合、希望する楽曲データの配信を行うウェブサイトを、ユーザはネットワーク上の設けられた多数の中から見つけ出すことになる。具体的には、先ずユーザは検索サイトへアクセスし、楽曲データに関連するキーワードを入力して検索を行い、次に検索でヒットしたウェブサイトへアクセスして所望の楽曲データをダウンロードする作業手順になる。
【０００４】
なお、特許文献１では、商品の購入者が、その商品に関連するデジタルデータをダウンロードする際の作業の容易化を図ると共に、商品の購入者のみに、その商品に関連するデジタルデータを提供可能とした内容が開示されている。また、特許文献２では、処理の対象とした文章に関連する関連情報をユーザに提示する内容が開示されている。さらに、特許文献３では、タグコードを利用してネットワークのサイトをアクセスしたときに、商品の割引等を受けられるポイントサービスを提供できるようにした内容が開示されている。
【特許文献１】特開２００３−２４２４０５号公報
【特許文献２】特開２００１−３１２５１５号公報
【特許文献３】特開２００２−８３１１６号公報
【発明の開示】
【発明が解決しようとする課題】
【０００５】
上述したように先に取得した楽曲データに関連したコンテンツデータ（例えば、同一楽曲で高品質な楽曲データ、同一アーティストによる別の楽曲データ等）を新たに取得する場合、検索サイトへのアクセス、適切なキーワードの入力、検索でヒットしたウェブサイトへのアクセスなど一連の作業が必要となり、ユーザは多大な手間を要する。しかし、特許文献１の内容は、ユーザが購入する音楽ＣＤに記憶された情報ＩＤ及び接続情報を利用して処理を行うものなので、音楽ＣＤと云う記憶媒体の形態ではなく、ダウンロードと云う形態を介して購入するコンテンツデータ（例えば、着信音用の楽曲データ）に対しては特許文献１に係る処理を適用できないと云う問題がある。
【０００６】
また、特許文献２では、関連情報を探す元になるキーワードを、処理対象の文章中の単語から選択するため、テキストファイルと相異するコンテンツデータである楽曲データ、画像データ等に関連するウェブサイトを探せないと云う問題がある。
【０００７】
一方、ネットワークにおけるビジネスにおいては、コンテンツデータの配信量を高めることが重要であるため、配信量を高めるための何らかの工夫が必要となる。例えば、先に取得した楽曲データと関連する楽曲データの配信を行う場合、トータルとして複数の楽曲データをユーザへ配信するので、そのようなユーザを優遇する工夫として、２つ目以降の楽曲データを入手する際は、１曲余分にダウンロード可能にすること、通常のダウンロード価格より割引、又はネット上で使用できるポイント付与などの特典を提供することが一般に考えられる。しかし、特許文献３では、タグコードを利用してサイトにアクセスした場合にのみポイントが付与されるので、タグコードを利用しないでサイトへアクセスしたユーザには特典を付与できないと云う問題がある。なお、上述した各問題は、楽曲データ以外にも映像データのような他の種類のコンテンツデータの場合でも同様に生じる。
【０００８】
本発明は、斯かる問題に鑑みてなされたものであり、先に取得したコンテンツデータに関連するネットワーク上のサイトを自動で容易に検索できるようにしたサイト検索方法、サイト検索システム、サーバ装置、端末装置、及びコンピュータプログラムを提供することを目的とする。
また、本発明は、ユーザが有する端末装置側で作成した識別情報を利用することで、コンテンツデータを先に取得したユーザが、そのコンテンツデータに関連するサイトを検索する場合は、特典として通常とは異なる特別のサイトへ誘導できるようにしたサイト検索方法、サイト検索システム、サーバ装置、端末装置、及びコンピュータプログラムを提供することを目的とする。
【課題を解決するための手段】
【０００９】
上記課題を解決するために本発明に係るサイト検索方法は、端末装置が記憶するプロパティ情報を含むコンテンツデータに関連したウェブサイトを、ネットワーク上に設けられた複数のウェブサイトの中からサーバ装置が検索するサイト検索方法であって、前記端末装置は、記憶するコンテンツデータに含まれるプロパティ情報を抽出し、抽出したプロパティ情報を前記サーバ装置へ送信し、前記サーバ装置は、プロパティ情報を受信した場合、該プロパティ情報に関連した内容を有するウェブサイトを検索することを特徴とする。
【００１０】
また、本発明に係るサイト検索方法は、前記サーバ装置は、コンテンツデータのダウンロードが可能なウェブサイトを検索することを特徴とする。
さらに、本発明に係るサイト検索方法は、前記端末装置は、所定の時間間隔でプロパティ情報を抽出して前記サーバ装置へ送信することを特徴とする。
【００１１】
本発明に係るサイト検索方法は、前記端末装置は、識別情報作成条件に基づき識別情報を作成し、作成した識別情報及びプロパティ情報を前記サーバ装置へ送信し、前記サーバ装置は、前記識別情報及びプロパティ情報を受信した場合、該識別情報が前記識別情報作成条件に一致するか否かを検出し、前記識別情報が前記識別情報作成条件に一致することを検出した場合、複数のウェブサイトの中で一のグループに属するウェブサイトの中から検索を行うことを特徴とする。
また、本発明に係るサイト検索方法は、前記サーバ装置は、識別情報を受信しない場合、又は受信した識別情報が前記識別情報作成条件に一致しないことを検出した場合、他のグループに属するウェブサイトの中から検索を行うことを特徴とする。
【００１２】
さらに、本発明に係るサイト検索方法は、前記サーバ装置は、検索に該当したウェブサイトの画面ページを前記端末装置へ送信することを特徴とする。
さらにまた、本発明に係るサイト検索方法は、前記サーバ装置は、検索結果を表した画面ページを前記端末装置へ送信することを特徴とする。
【００１３】
本発明に係るサイト検索方法は、プロパティ情報を含むコンテンツデータに関連したウェブサイトを、ネットワーク上に設けられた複数のウェブサイトの中からサーバ装置が検索するサイト検索方法であって、前記サーバ装置は、外部端末から送信された識別情報及びプロパティ情報を受信した場合、該識別情報が識別情報作成条件に一致するか否かを検出し、前記識別情報が前記識別情報作成条件に一致することを検出した場合、複数のウェブサイトの中で一のグループに属するウェブサイトの中から検索を行うことを特徴とする。
【００１４】
本発明に係る情報送信方法は、プロパティ情報を含むコンテンツデータを記憶する端末装置が、記憶するコンテンツデータに含まれるプロパティ情報を抽出し、識別情報作成条件に基づき識別情報を作成し、作成した識別情報及び抽出したプロパティ情報を送信することを特徴とする。
【００１５】
本発明に係るサイト検索システムは、端末装置が記憶するプロパティ情報を含むコンテンツデータに関連したウェブサイトを、ネットワーク上に設けられた複数のウェブサイトの中からサーバ装置が検索するサイト検索システムであって、前記端末装置は、記憶するコンテンツデータに含まれるプロパティ情報を抽出する手段と、抽出したプロパティ情報を前記サーバ装置へ送信する手段とを備え、前記サーバ装置は、プロパティ情報を受信した場合、該プロパティ情報に関連した内容を有するウェブサイトを検索する手段を備えることを特徴とする。
【００１６】
また、本発明に係るサイト検索システムは、前記端末装置は、識別情報作成条件に基づき識別情報を作成する手段と、作成した識別情報及びプロパティ情報を前記サーバ装置へ送信する手段とを備え、前記サーバ装置は、前記識別情報及びプロパティ情報を受信した場合、該識別情報が前記識別情報作成条件に一致するか否かを検出する手段と、前記識別情報が前記識別情報作成条件に一致することを検出した場合、複数のウェブサイトの中で一のグループに属するウェブサイトの中から検索を行う手段とを備えることを特徴とする。
【００１７】
本発明に係るサーバ装置は、プロパティ情報を含むコンテンツデータに関連したウェブサイトを、ネットワーク上に設けられた複数のウェブサイトの中から検索するサーバ装置であって、外部端末から送信された識別情報及びプロパティ情報を受信した場合、該識別情報が識別情報作成条件に一致するか否かを検出する手段と、前記識別情報が前記識別情報作成条件に一致することを検出した場合、複数のウェブサイトの中で一のグループに属するウェブサイトの中から検索を行う手段とを備えることを特徴とする。
【００１８】
本発明に係る端末装置は、プロパティ情報を含むコンテンツデータを記憶する手段と、記憶するコンテンツデータに含まれるプロパティ情報を抽出する手段と、識別情報作成条件に基づき識別情報を作成する手段と、作成した識別情報及び抽出したプロパティ情報を送信する手段とを備えることを特徴とする。
【００１９】
本発明に係るコンピュータプログラムは、通信手段を有するコンピュータに、プロパティ情報を含むコンテンツデータに関連したウェブサイトを、ネットワーク上に設けられた複数のウェブサイトの中から検索させるためのコンピュータプログラムであって、コンピュータを、前記通信手段で外部から送信された識別情報及びプロパティ情報を受信した場合、該識別情報が識別情報作成条件に一致するか否かを検出する手段と、前記識別情報が前記識別情報作成条件に一致することを検出した場合、複数のウェブサイトの中で一のグループに属するウェブサイトの中から検索を行う手段として機能させることを特徴とする。
【００２０】
さらに、本発明に係るコンピュータプログラムは、通信手段及びプロパティ情報を含むコンテンツデータを記憶する手段を有するコンピュータに、前記通信手段で情報を送信する処理を行わせるためのコンピュータプログラムであって、コンピュータを、記憶するコンテンツデータに含まれるプロパティ情報を抽出する手段と、識別情報作成条件に基づき識別情報を作成する手段と、作成した識別情報及び抽出したプロパティ情報を前記通信手段で送信する処理を行わせる手段として機能させることを特徴とする。
【００２１】
本発明にあっては、コンテンツデータに元々含まれるプロパティ情報を利用して検索を行うので、コンテンツデータに関連するウェブサイトを自動で検索することが可能となる。即ち、コンテンツデータは、コンテンツに係るデータ部分に加えてコンテンツの内容を目次的に表すプロパティ情報をデータのヘッダ部分等に含み、例えば、楽曲データであれば、曲名、アルバム名、演奏者名、作曲者名、ジャンル等がプロパティ情報に入っている。そのため、プロパティ情報に入っている曲名、アルバム名、演奏者名、及び作曲者名等をキーワードとして検索することで、コンテンツデータ（プロパティ情報）に関連した内容を有するウェブサイトを自動で探し出せる。
【００２２】
なお、端末装置がコンテンツデータからプロパティ情報を抽出し、抽出したプロパティ情報を送信する処理を行うためには、このような処理を規定したコンピュータプログラムが端末装置側にインストールされている必要がある。また、サーバ装置が、受信したプロパティ情報でウェブサイトの検索処理を行うためには、このような処理を規定したコンピュータプログラムがサーバ装置にインストールされている必要がある。
【００２３】
本発明にあっては、サーバ装置がコンテンツデータのダウンロードが可能なウェブサイトを検索するため、先に取得したコンテンツデータに関連した多様なコンテンツデータをユーザは取得できるようになり、ユーザが気に入ったコンテンツの作者、演奏者等の別のコンテンツを容易にダウンロード可能となる。
【００２４】
本発明にあっては、所定の時間間隔でプロパティ情報を抽出してサーバ装置へ送信するので、サーバ装置はプロパティ情報の受信ごとに検索を行う。そのため、ネットワーク上に新たなウェブサイトが設けられたときは、新たなウェブサイトも検索対象に含めることができるので、コンテンツデータ（プロパティ情報）に関連した最新のウェブサイトを見つけることができる。
【００２５】
本発明にあっては、端末装置側で識別情報作成条件に基づき識別情報を作成してサーバ装置へ送信すると共に、サーバ装置は受信した識別情報が識別情報作成条件に一致することを検出した場合、一のグループに属するウェブサイトの中から検索を行うので、適正な識別情報を送信すれば、自動的に特別な範囲に対して検索を実行できる。識別情報作成条件とは、識別情報の作成の仕方等が規定されたものであり、例えば、曲名の後に「−１」のような枝番を付して識別情報を作成することが規定されている。このような、識別情報作成条件は、中身が同一のものを端末装置及びサーバ装置の両方が予め有した場合に、適正な識別情報に基づいた特別な検索が可能となる。
【００２６】
さらに、検索対象とする一のグループに属するウェブサイトは、通常のユーザがアクセスできないウェブサイト（例えば、特別なユーザの専用サイトなど）にすることが好ましく、このようにすることで、識別情報を作成して送信したユーザを優遇でき、通常とは異なる特典をユーザに付与できると共に、識別情報を作成する処理を行う端末装置、及び識別情報の作成処理を規定した端末装置用のコンピュータプログラムの価値も高められる。
【００２７】
また、本発明にあっては、プロパティ情報を受信したが識別情報を受信しない場合、又は受信した識別情報が一致しない場合、サーバ装置は他のグループに属するウェブサイトを検索対象にするので、受信した識別情報が一致する場合と検索対象を異ならせることができる。なお、他のグループに属するウェブサイトは、通常のユーザがアクセスできる一般サイトにして、一のグループに属する専用サイトとの差別化を図って、相対的に一のグループに属する専用サイトの価値を高めることができる。
【００２８】
本発明にあっては、サーバ装置がウェブサイトの画面ページを端末装置へ送信するので、端末装置のユーザは、自身が有するコンテンツデータ（プロパティ情報）に関連したサイト画面を直ちに閲覧することができ、ユーザが望むサイト画面を表示することに対してユーザの操作負担を従来に比べて大幅に軽減できる。なお、このように検索に該当したウェブサイトの画面ページをスムーズに送信するためには、サーバ装置自体が様々な種類のサイトを管理する総合サイトを構築することが好適であり、総合サイトの例としては、検索サイト、楽曲ダウンロードサイト、画像ダウンロードサイト、及びニュースサイト等の複数のサイトをリンク可能に管理するものが挙げられる。
【００２９】
本発明にあっては、サーバ装置が検索結果を端末装置へ送信するので、ユーザが検索結果の中から自身が望むサイトを選択できるため、ユーザが有するコンテンツデータ（プロパティ情報）に関連したウェブサイトが多数存在するとき、ユーザ自身の選択により所望のウェブサイトを表示できる。なお、このようにサーバ装置が検索結果を端末装置へ送信する場合は、サーバ装置が検索サイトを設けて、自身の検索サイトに係る検索エンジンで受信したプロパティ情報に基づき検索を行って、ネットワーク上に存在する多数のウェブサイトの中から該当するものを見つけ出すような仕組みを構築することが、効率の良い検索を行う点で好ましい。
【発明の効果】
【００３０】
本発明にあっては、コンテンツデータに含まれるプロパティ情報を利用して検索を行うので、コンテンツデータに関連するウェブサイトを自動で検索できる。
また、本発明にあっては、コンテンツデータのダウンロードが可能なウェブサイトを検索するため、取得済みのコンテンツに関連したコンテンツデータをユーザはスムーズにダウンロードでき、気に入ったコンテンツの作者、演奏者等の別のコンテンツを容易に取得できる。
さらに、本発明にあっては、所定の時間間隔でプロパティ情報を抽出してサーバ装置へ送信するので、常に最新のウェブサイトを検索対象に含めて検索を行える。
【００３１】
本発明にあっては、端末装置が識別情報作成条件に基づき識別情報を作成してサーバ装置へ送信し、サーバ装置は受信した識別情報が識別情報作成条件に一致することを検出すると、一のグループに属するウェブサイトの中から検索を行うので、適正な識別情報の送信により特定の範囲で検索を実行でき、識別情報を作成できる端末装置のユーザを優遇する検索サービスを行える。
また、本発明にあっては、識別情報を受信しない場合、又は受信した識別情報が一致しない場合、サーバ装置は他のグループに属するウェブサイトを検索対象にするので、識別情報が一致するときと相異する範囲を検索範囲にでき、２種類の検索範囲を識別情報に基づき選択して検索を行える。
【００３２】
本発明にあっては、検索されたウェブサイトの画面ページが端末装置へ送信されるので、端末装置のユーザは、自身が有するコンテンツ（プロパティ情報）に関連したサイト画面を直ちに閲覧できる。
また、本発明にあっては、検索結果が端末装置へ送信されるので、検索結果の中から閲覧を希望するウェブサイトを選択でき、ユーザ自身が選択したサイトをスムーズに表示できる。
【発明を実施するための最良の形態】
【００３３】
図１は、本発明の実施形態に係るサイト検索システム１を含む全体的な構成を示している。本実施形態のサイト検索システム１は、ユーザが携帯端末装置３で着信時に鳴らす着信楽曲データ（楽曲の一部のみのデータであり、プロパティ情報を含むコンテンツデータに相当）をダウンロードした場合、その着信楽曲データに関連したウェブサイトをサーバ装置１０が自動で検索し、着信楽曲データの関連サイトを探すのに要する手間を解消したものである。
【００３４】
図２は、ユーザが有する携帯端末装置３（端末装置に相当）の内部構成を示すブロック図である。携帯端末装置３は、ネットワーク接続機能を有する携帯電話機（一種のコンピュータに相当）であり、各種制御処理を行うＣＰＵ３ａ、通信部３ｂ、ＲＡＭ３ｃ、ＲＯＭ３ｄ、表示用インタフェース３ｅ、操作部インタフェース３ｆ、音出力処理部３ｇ、及び記憶部３ｈを内部バス３ｉで接続している。
【００３５】
通信部３ｂは、図１に示す多数の中継基地局２Ａ、２Ｂ・・・と無線通信を行い、ネットワークＮＷに接続された様々な機器とデータ（各種情報）を送受信する手段に相当し、ＣＰＵ３ａの制御指示に基づき所定の通信先と通信を行う。ＲＡＭ３ｃはＣＰＵ３ａの処理に従うデータ及びフォルダ等を一時的に記憶し、ＲＯＭ３ｄはＣＰＵ３ａが行う基本的な処理内容を規定したプログラム等を予め記憶している。
【００３６】
また、表示用インタフェース３ｅは、携帯端末装置３の筐体に配置される表示パネル部４と接続され、図４（ａ）（ｂ）に示すメニュー画面３０、３１、及びネットワーク上に設けられた各種ウェブサイトのサイト画面３５〜３８（図６、７参照）等を表示パネル４に表示するための処理を行う。操作部インタフェース３ｆは、携帯端末装置３の筐体表面に設けられた多数の操作キー（上下左右キー、決定キーなど）からなる操作部５と接続され、操作部５でユーザから各種操作を受け付けて、表示パネル４で表示される各項目の選択などを行えるようにしている。音出力処理部３ｇは、スピーカ６が接続されており、ダウンロードした着信楽曲データＤを着信時にＣＰＵ３ａの制御に基づき再生処理を行ってスピーカ６から出力すると共に、他の種類の楽曲データ（例えば、フル楽曲データ等）も再生出力可能にしている。
【００３７】
さらに記憶部３ｈは、各種プログラム及びデータ等を記憶し、本実施形態ではプログラムとして、ＣＰＵ３ａが行う基本的な処理内容を規定した端末プログラム７、及び本発明に関連した専用の処理をアクセスプログラム８（いわゆるアプリに相当するコンピュータプログラム）、アクセスプログラム８により作成されたユーザＩＤ９（識別情報に相当）、先にダウンロードされた着信楽曲データＤ、及びメニュー画像テーブルＧ等を記憶している。
【００３８】
図３（ａ）は、記憶部３ｈに記憶される着信楽曲データＤのデータ構造を概略的に示したものである。着信楽曲データＤは、様々な着信音の配信が可能なウェブサイトから、ユーザの操作によりダウンロードされて記憶部３ｈに記憶されており、着信楽曲データＤに係る着信音が着信時にスピーカ６から出力される。着信楽曲データＤは、ヘッダ部分Ｄ１とコンテンツ部分Ｄ２に分かれた構造になっており、ヘッダ部分Ｄ１にはプロパティ情報Ｐが格納され、コンテンツ部分Ｄ２にはコンテンツである着信音のデータが格納される。
【００３９】
図３（ｂ）はプロパティ情報Ｐの中身を示し、着信音の曲名、着信音の楽曲が入っているアルバム名、演奏者名、作曲者名、作詞者名、ジャンル、着信楽曲データＤに係るファイル名（ＡＢＣＤＥ．ＭＩＤ）、着信楽曲データＤのサイズ（１３ＫＢ）、着信楽曲データＤの作成日時（２００６年２月１５日）等が記されている。
【００４０】
また、図４（ａ）に示す第１メニュー画面３０は、記憶部３ｈに記憶されるメニュー画面テーブルＧに含まれるメニュー画面ページＧ１に応じた内容である。この第１メニュー画面３０は、本発明の準備段階において、必要な項目を携帯端末装置３で設定する際に表示されるものであり、図３（ｂ）に示すプロパティ情報Ｐに含まれる各内容のいずれかの事項を選択し、選択した事項に関連する検索を行えるようにするものである。そのため、第１メニュー画面３０は、プロパティ情報Ｐの各内容に応じた第１項目３０ａ、第２項目３０ｂ、第３項目３０ｃ、及び第３項目３０ｄ等を選択可能に設けており、選択項目にはチェックマークを入るようになっている。なお、各項目３０a、３０ｂ等は複数の選択が可能であり、選択項目はメニュー画面データＧ１中においてフラグが立って判別可能になる。
【００４１】
図４（ｂ）に示す第２メニュー画面３１は、メニュー画面テーブルＧのメニュー画面ページＧ２に対応したものであり、本発明の処理を開始する際に表示パネル４に表示されるものである。第２メニュー画面３１は、ＹＥＳボタン３１ａと、ＮＯボタン３１ｂを選択可能に設けており、ＹＥＳボタン３１ａが選択されると、本発明の処理が開始され、ＮＯボタン３１ｂが選択されると、携帯端末装置３の通常処理に戻るようになっている。なお、上述した第１及び第２メニュー画面３０、３１は、記憶部３ｈに記憶されるメニュー画面テーブルＧが含むメニュー画面データに応じた内容の一例であり、メニュー画面テーブルＧは様々な画面用（例えば、携帯端末装置３が行える複数の処理機能の中からユーザが望む処理を選択する基本メニュー画面など）のメニュー画面ページＧ１〜Ｇｎを含んでいる。
【００４２】
また、図２に示す記憶部３ｈに記憶される端末プログラム７は、携帯電話機としての通話機能、ネットワーク通信を行うためのネットワーク機能、アクセスしたサイトの閲覧機能等に関する各種処理を規定している。例えば、端末プログラム７の閲覧機能に関する処理では、サーバ装置１０から送信されるウェブサイトの画面ページを携帯端末装置３の通信部３ｂで受信すると、画面ページに応じたサイト画面（図６、７など参照）を表示パネル４に表示すると共に、サイト画面に設けられた各種設定項目等がユーザの操作により選択された場合は、選択された項目を示す内容をサーバ装置１０へ送信する制御をＣＰＵ３ａが行うことが規定されている。
【００４３】
さらに、記憶部３ｈのアクセスプログラム８は、本発明に関する携帯端末装置３側の処理を規定したものであり、ユーザＩＤ条件８ａを含んでいる。アクセスプログラム８は、ＣＰＵ３ａが行う処理として主に３つの内容を規定している。
【００４４】
１つ目の処理は準備段階で行われるものであり、ユーザＩＤ条件８ａ（識別情報作成条件に相当）に基づきユーザＩＤ９を作成して記憶部３ｈに記憶（保存）しておくことである。本発明で用いられるユーザＩＤ条件８ａは、プロパティ情報Ｐに含まれるファイル名の拡張子を除いた部分に枝番号の「１」を付けてユーザＩＤ９を作成することを作成条件（作成仕様）にしている。そのため、本実施形態では「ＡＢＣＤＥ−１」と云う内容のユーザＩＤ９が作成される。なお、ユーザＩＤ９の作成は、準備段階において図４（ａ）の第１メニュー画面３０で設定が行われた際に連動して行われる。
【００４５】
２つ目の処理は、図４（ｂ）の第２メニュー画面３１でＹＥＳボタン３１ａが選択されたことに伴って、図４（ａ）の第１メニュー画面３０での設定内容に基づき、記憶部３ｈに記憶されている着信楽曲データＤのプロパティ情報Ｐの内容を抽出することである。最後に３つ目の処理は、抽出したプロパパティ情報Ｐの内容、及び予め作成したユーザＩＤ９を含むアクセス要求信号を作成して通信部３ｂよりサーバ装置１０へ送信することである。
【００４６】
アクセスプログラム８が規定する内容に基づきＣＰＵ３ａが行う具体的な処理手順は以下の通りである。先ず、ＣＰＵ３ａは処理を始める準備段階において、図４（ａ）の第１メニュー画面３０を表示パネル４に表示して、プロパティ情報Ｐから抽出する項目の選択をユーザから受け付けると共に、受け付けた項目を他と区別できるようにフラグを立てる処理を行う。なお、ユーザ側としては第１メニュー画面３０において、着信音の何について関連するサイトを希望するかと云う観点で項目を選択することになる。例えば、着信音の演奏者と同じアーティストの別の楽曲の配信等を行うサイトを希望するとき、第３項目３０ｃ（演奏者）を選択することになり、また、着信音が入っているアルバムの他の楽曲の配信等を行うサイトを希望するときは、第２項目３０ｂ（アルバム名）を選択することになる。
【００４７】
また、上述したように第１メニュー画面３０での設定選択が行われた場合、ＣＰＵ３ａはユーザＩＤ９を作成して記憶部３ｈに保存し、準備段階を完了する。準備段階の完了後、基本メニューで着信音の関連サイトの検索機能がユーザにより選択されると、図４（ｂ）に示す第２メニュー画面３１を表示パネル４に表示する制御をＣＰＵ３ａは行う。ＹＥＳボタン３１ａの選択操作をユーザから受け付けた場合、ＣＰＵ３ａは、第１メニュー画面３０で設定された項目に対応する内容を着信音楽曲データＤのプロパティ情報Ｐから抽出し、抽出したプロパティ情報Ｐの内容及びユーザＩＤ９を含んだアクセス要求信号を作成し、サーバ装置１０へアクセスしてアクセス要求信号を送信する制御処理を行う。
【００４８】
一方、図５は、サーバ装置１０の主要な内部構成を示している。サーバ装置１０は、本発明に係るサービスの運営を行う事業体により管理されており、コンテンツデータの配信サイト、及び各種情報の提供サイト等の複数のウェブサイトにリンクした総合サイトをネットワーク上に設けている。サーバ装置１０は、汎用のサーバコンピュータであり、様々な制御処理を行うＭＰＵ１１を、内部バス１０ａを介して通信インタフェース１２、ＲＡＭ１３、ＲＯＭ１４、及びハードディスク装置１５に接続した構成になっている。
【００４９】
通信インタフェース１２は、ネットワークＮＷを経由して外部の端末装置と各種データ（各種情報）の通信を行う通信手段に相当し、例えば、本実施形態では外部端末からアクセスを受けたときにプロパティ情報の内容及びユーザＩＤを含むアクセス要求信号を受信する。また、ＲＡＭ１３は、ＭＰＵ１１の処理に伴って生じるデータ及びフォルダ等を一時的に記憶し、ＲＯＭ１４は、ＭＰＵ１１が行う基本的な処理内容を規定したプログラムを予め記憶している。
【００５０】
ハードディスク装置１５は、サーバ装置１０を作動させる上で基本となるＭＰＵ１１用の処理内容（通信処理、記憶処理等）を規定したシステムプログラム２０、ＭＰＵ１１が行う本発明に係る処理内容を規定したサーバプログラム２１、画面データベース２２、検索テーブル２３、着信楽曲データベース２４、フル楽曲データベース２５、映像データベース２６等を記憶している。
【００５１】
画面データベース２２は、サーバ装置１０がネットワーク上に設けるウェブサイト（総合サイト、及び総合サイトにリンクする各種ウェブサイト）を構成する多数のサイト画面用の画面ページを含むものである。サーバ装置１０は、アクセスしてきた端末装置へ画面ページを送信することで、ウェブサイトのサイト画面を端末装置で表示させるようにしており、図６、７等で示す各サイト画面３５〜３８が、画面データベース２２に含まれる画面ページの中身の一例である。
【００５２】
図６（ａ）のサイト画面３５は、サーバ装置１０が開設する総合サイトのトップページに該当し、このサイト画面３５は、リンクする各種サイトへアクセスを移行する操作の受付用に複数のボタン３５ａ〜３５ｆを設けている。また、図６（ｂ）のサイト画面３６は、サーバ装置１０が行った検索の結果、該当するサイトページを発見できなかった場合（未ヒットの場合）にアクセス元の端末装置で表示されるものであり、トップページに戻るための第１ボタン３６ａと、サーバ装置１０への接続状態を遮断して処理を終了するための第２ボタン３６ｂとを選択可能に設けている。
【００５３】
さらに、図７（ａ）のサイト画面３７は、総合サイトにリンクするフル楽曲配信サイトのサイトページの一例であり、サーバ装置１０で受信されたユーザＩＤが適正な場合で検索にヒットしたときに表示される内容（ユーザへの特典付きのフル楽曲データがダウンロード可能なページ）を示す。なお、本発明に係るフル楽曲配信サイトは、トップページから階層的に複数のサイトページを有しており、図７（ａ）のサイト画面３７は、下位層の「アーティストＡＢＣ」のフル楽曲データの配信を行うためのサイトページである（後述の図７（ｂ）の場合も同様）。
【００５４】
図７（ｂ）のサイト画面３８も、総合サイトにリンクするフル楽曲配信サイトのサイトページの一例であるが、ユーザＩＤが適正でない場合、又はユーザＩＤが受信されない場合で検索にヒットしたときに表示される内容（ユーザへの特典が無い一般ユーザ向けのページ）を示している。なお、画面データベース２２は、上述したサイト以外にも、総合サイトにリンクする映像配信サイト、知識・雑学提供サイト、投稿サイト、天気サイト、乗換サイト、映画サイト、占いサイト等のウェブサイトを構成する画面ページを含む。
【００５５】
また、図８は、記憶部１５に記憶される検索テーブル２３の内容を示している。本実施形態の検索範囲は、総合サイトにリンクする複数のジャンルに含まれる複数のウェブサイトであり、複数のジャンルは、検索テーブル２３の左端列２３ａに載った着信音配信、フル楽曲配信、映像配信、知識・雑学提、投稿、及び天気などである。これらの各ジャンルは、図６（ａ）に示すトップページで選択可能な各ボタン３５ａ〜３５ｆに対応し、ジャンルごとに含まれるサイトをサーバ装置１０がネットワーク上に設けている。
【００５６】
各ジャンルの中で着信音配信、フル楽曲配信、及び映像配信に含まれるサイトは、それぞれハードディスク装置１５に記憶された着信楽曲データベース２４、フル楽曲データベース２５、及び映像データベース２６に含まれる多数のコンテンツデータ（着信楽曲データ、フル楽曲データ、映像データ）を配信するウェブサイトに該当し、これらのサイトはユーザが希望するコンテンツデータを選択できるサイトページを有する構成になっている。なお、その他のジャンル（知識・雑学、投稿、及び天気等）に含まれるサイトは、各種情報を載せたウェブサイトに該当したものである。これらの各サイトは、サイトごとにトップページ及びトップページから階層的に下位となる層のサイトページによって構成されている。
【００５７】
さらに、本実施形態では、上述した検索テーブル２３の左端列２３ａに載ったジャンルごとに、基本的なサイト内容を同一にしながら、受信したユーザＩＤが適正な場合に検索対象になる特別サイトが含まれる特別サイトグループ（一のグループに相当）と、受信したユーザＩＤが適正で無い場合、又はユーザＩＤを受信しない場合に検索対象になる一般サイトが含まれる一般サイトグループ（他のグループに相当）をサーバ装置１０は設けている。そのため、特別サイトグループを検索するときに用いる検索ファイル、及び一般サイトグループを検索するときに用いる検索ファイルをそれぞれ別個にジャンルごとに作成し、各検索ファイルを図８の検索テーブル２３の中央列２３ｂ、右端列２３ｃにそれぞれ載せている。なお、各検索ファイルは、対応するジャンルに含まれるサイトページのＵＲＬ、及びサイトの特徴を表すキーワード（例えば、コンテンツの名称、アーティストの名称、アルバムの名称等）が紐付けられた内容になっており、キーワードに基づき対応するＵＲＬを特定可能になっている。
【００５８】
また、特別サイトグループに対応する各検索ファイルに検索対象として含まれる特別サイトの一例が、上述した図７（ａ）に示すサイト画面３７に相当し、一般サイトグループの各検索ファイルに検索対象として含まれる一般サイトの一例が、図７（ｂ）のサイト画面３８に相当している。図７（ａ）の特別サイトのサイト画面３７を通じてコンテンツデータをダウンロードした場合は、特典として余分に１曲をダウンロードできる配信処理をサーバ装置１０が行うようになっている。また、コンテンツデータを配信しないで各種情報の提供を行うジャンル（知識・雑学提供、投稿、及び天気等）における特別サイトのサイト画面（図示せず）では、一般サイトが含む内容に加えて、専用の情報、専用の掲示板等が載せて一般サイトとの差別化を図っている。
【００５９】
図５に戻り、ハードディスク装置１５に記憶されるサーバプログラム２１が規定する内容を説明する。サーバプログラム２１は、外部の端末装置からアクセスを受けてプロパティ情報の内容を含むアクセス要求信号、又はプロパティ情報の内容とユーザＩＤを含むアクセス要求信号を受信した場合、プロパティ情報に関連した内容を有するウェブサイトを検索テーブル２３から検索し、検索でヒットしたウェブサイトの画面ページをアクセス元の端末装置へ送信する処理を規定している。また、サーバプログラム２１は受信したユーザＩＤが適正であるか否かを判別するため、ユーザＩＤ条件２１ａを含んでおり、このユーザＩＤ条件２１ａは、図２の携帯端末装置３において記憶部３ｈに記憶されるアクセスプログラム８に含まれるユーザＩＤ条件８ａと同一の作成条件を含んでおり、着信楽曲データベース２４に含まれる着信楽曲データのファイル名に枝番号の「１」が付いたＩＤが適正であることを条件として規定する。
【００６０】
このようなサーバプログラム２１の内容を詳しく説明すると、先ず、アクセス要求信号を受信すると、ＭＰＵ１１がアクセス要求信号に含まれるユーザＩＤがユーザＩＤ条件２１ａに含まれる条件（作成条件）に一致するか否かを判断し、一致する場合は適正なユーザＩＤが使用されていると認識して図８の検索テーブル２３の中央列２３ｂに配置された特別サイトグループに属する各検索ファイルを検索対象に特定する。また、一致しない場合又はアクセス要求信号にユーザＩＤが含まれない場合、ＭＰＵ１１は適正なユーザＩＤが使用されていないと認識し、図８の検索テーブル２３の右端列２３ｃに配置された一般サイトグループに属する各検索ファイルを検索対象に特定する。
【００６１】
さらに、ＭＰＵ１１は、特定した検索ファイルに対してアクセス要求信号に含まれるプロパティ情報の内容（キーワード）で検索を行い、検索に該当（ヒット）したウェブサイトを表す画面ページを画面データベース２２から読み出してアクセス元の端末装置へ送信する制御を行う。なお、複数のウェブサイトがヒットした場合、通常の検索結果表示でトップに配置するウェブサイト中の該当するサイト画面の画面ページを送信する。なお、検索にヒットしたウェブサイトが見つからない場合（未ヒットの場合）、ＭＰＵ１１は図６（ｂ）のサイト画面３６に応じた画面ページを画面データベース２２から読み出してアクセス元の端末装置へ送信する制御を行う。
【００６２】
図９は、上述したサイト検索システム１における一連の処理手順（サイト検索方法の内容）を示したフローチャートである。以下、このフローチャートに基づきサイト検索方法の内容を説明する。なお、処理を開始する時点では、携帯端末装置３での準備段階の処理は終了し、図４（ａ）の第１メニュー画面３０において第３項目３０ｃ（アーティストに相当する演奏者）が選択されていると共に、ユーザＩＤ９が作成されて記憶部３ｈに保存されており、携帯端末装置３での表示パネル４には、図４（ｂ）の第２メニュー画面３１が表示された状態になっているとする。
【００６３】
携帯端末装置３は先ず、第２メニュー画面３１で、現在の着信音に関連するウェブサイトの検索指示をユーザから受け付けたか（ＹＥＳボタン３１ａが選択されたか）否かを判断する（Ｓ１）。検索指示を受け付けていない場合（Ｓ１：ＮＯ）、携帯端末装置３は検索指示待ちの状態となり、検索指示を受け付けた場合（Ｓ１：ＹＥＳ）、第１メニュー画面３０での設定内容に基づき着信楽曲データＤからプロパティ情報Ｐ（プロパティ情報Ｐの演奏者名）を抽出し（Ｓ２）、プロパティ情報Ｐ及び保存していたユーザＩＤ９を含むアクセス要求信号を作成してサーバ装置１０へ送信する（Ｓ３）。
【００６４】
サーバ装置１０は、携帯端末装置３からのアクセスを受けてアクセス要求信号を受信し（Ｓ４）、アクセス要求信号に含まれるユーザＩＤ９がユーザＩＤ条件２１ａに一致するか否かを判断する（Ｓ５）。ユーザＩＤ９がユーザＩＤ条件２１ａに一致する場合（Ｓ５：ＹＥＳ）、サーバ装置１０は、図８に示す検索テーブル２３の特別サイトグループの各検索ファイルを検索し（Ｓ６）、またユーザＩＤ９がユーザＩＤ条件２１ａに一致しない場合（Ｓ５：ＮＯ）、検索テーブル２３の一般サイトグループの検索ファイルを検索する（Ｓ７）。
【００６５】
サーバ装置１０は、検索によりウェブサイトがヒットしたか否かを判断し（Ｓ８）、ヒットした場合（Ｓ８：ＹＥＳ）、ヒットしたウェブサイトに応じた画面ページ（例えば、ユーザＩＤ一致の場合は図７（ａ）のサイト画面３７に応じた画面ページ、ユーザＩＤ不一致の場合は図７（ｂ）のサイト画面３８に応じた画面ページ）をハードディスク装置１５の画面データベース２２から読み出す（Ｓ９）。また、ヒットしなかった場合（Ｓ８：ＮＯ）、図６（ｂ）のサイト画面３６に応じた未ヒット用の画面ページを画面データベース２２から読み出す（Ｓ１０）。それから、サーバ装置１０は、読み出した画面ページをアクセス元の携帯端末装置３へ送信する（Ｓ１１）。
【００６６】
最後に、携帯端末装置３は、サーバ装置１０から送信された画面ページを表示パネル４に表示する（Ｓ１２）。よって、携帯端末装置３のユーザは、図４（ｂ）の第２メニュー画面３１でＹＥＳボタン３１ａを選択するだけで、着信音を演奏するアーティストのフル楽曲をダウンロードできるサイト画面を自動で表示でき、特に適正なユーザＩＤ９を送信した場合は、図７（ａ）に示す特典が付与されるサイト画面３７が表示されるため、携帯端末装置３にインストールするアクセスプログラム８の価値を高めることができる。
【００６７】
上述したフローチャートの説明では、フル楽曲配信（図７参照）がヒットした例を挙げたが、コンテンツ情報Ｐの内容によっては、アーティストのコンサート映像を収めた映像配信サイト、アーティストに関する情報が載った知識・雑学サイト、投稿サイト等が検索でヒットする場合も生じる。また、準備段階で図４（ａ）の第１メニュー画面３０で複数の項目が選択された場合、サーバ装置１０は、複数の項目に対して所謂「ＡＮＤ検索」を行うことになる。
【００６８】
なお、本発明は上述した形態に限定されるものではなく、種々の変形例の適用が可能である。例えば、検索の元になるコンテンツデータは、着信楽曲データに限定されるものではなく、プロパティ情報が含まれている他の種類のコンテンツデータ（一般的な楽曲データ、映像データ、ゲームデータ等）も勿論適用可能である。また、検索の元になるコンテンツデータが着信楽曲データ以外のときは、携帯端末装置３も携帯電話機に限定されることが無くなり、コンテンツデータを保存できる通信端末装置（通信機能を具備したコンピュータ及び音楽再生プレーヤ等）を携帯端末装置３の代わりに適用できる。
【００６９】
また、携帯端末装置３が直接、サーバ装置１０と接続を確立して処理を行う代わりに、携帯端末装置３が作成したユーザＩＤ９を他の通信装置に渡して、その通信装置がユーザＩＤ９を用いてサーバ装置１０にアクセスすることで、通信装置においても関連サイトをスムーズに表示できるようにしてもよい。
【００７０】
例えば、図１０に示す変形例のサイト検索システム５０では、通信機能を備えるコンピュータ５１に携帯端末装置３がユーザＩＤ９を送信する。コンピュータ５１は、携帯端末装置３が記憶するアクセスプログラム８のユーザＩＤ作成処理を除いた処理内容を規定したコンピュータプログラムと、プロパティ情報を含む各種コンテンツデータを予め記憶しており、ユーザＩＤ９及びプロパティ情報をサーバ装置１０へ送信することで、プロパティ情報に関連したウェブサイトのサイト画面をコンピュータ５１で表示でき、ユーザＩＤ９が適正であれば、ダウンロード料金の割引等の特典をコンピュータ５１で享受できる。
【００７１】
さらに、上述した説明では、図４（ｂ）の第２メニュー画面３１でＹＥＳボタン３１ａが選択された場合に携帯端末装置３がサーバ装置１０へアクセスしていたが、第２メニュー画面３１を用いずに、携帯端末装置３のＣＰＵ３ａが具備する計時機能を利用して所定の時間間隔（例えば、２週間ごと、１ヶ月ごと等）で、携帯端末装置３がサーバ装置１０へ自動でアクセスして、プロパティ情報Ｐ及びユーザＩＤ９を送信することを規定したアクセスプログラム８を適用してもよい。さらにまた、アクセスプログラム８の処理内容を簡略化することも可能であり、例えば、図４（ａ）の第１メニュー画面３０での設定処理を省略し、例えばプロパティ情報Ｐ中の演奏者だけを常に抽出して送信する仕様にするなど、送信するプロパティ情報の中身を固定してもよい。また、サーバ装置１０での検索対象が特別サイトファイルと一般サイトファイルとに分かれておらず、一般サイトファイルのみを検索対象にするときは、アクセスプログラム８からユーザＩＤ作成に係る処理内容を省略してもよい。
【００７２】
一方、サーバ装置１０がネットワーク上に設けるウェブサイトが総合サイトではなく、検索のみを行う検索サイトであり、検索でヒットしたウェブサイトを直接的にサーバ装置１０が管理していないときは、ヒットしたサイト画面に応じた画面ページを携帯端末装置３へ送信するのではなく、図１１に示すように検索結果を載せたサイト画面３９に応じた画面ページを作成して携帯端末装置３へ送信する構成にする。この場合、サーバ装置１０は、画面ページに表した検索結果に該当するサイト名３９ａ〜３０ｅ等を、選択可能にＵＲＬをリンクさせた状態で配置し、携帯端末装置３での選択操作によりユーザが希望するウェブサイトへ容易にアクセスできるようにすることが好適である。
【００７３】
なお、このように検索結果の画面ページを送信する場合でも、検索対象のウェブサイトを、特典付与を行う特別サイトグループと、一般サイトグループとに分けてサーバ装置１０が検索をすることも可能である。また、特別サイトが付与する特典には、ダウンロード料金の割引、ネット上で使用できるポイントを付与すること、各種商品をプレゼントとしてユーザに発送することなども適用できる。さらに、サーバ装置１０が行う各処理を複数のサーバ装置で分散的に行う構成にすることも可能である。
【図面の簡単な説明】
【００７４】
【図１】本発明の実施形態に係るサイト検索システムの全体的な構成を示す概略図である。
【図２】携帯端末装置の内部構成を示すブロック図である。
【図３】（ａ）は着信楽曲データのデータ構造を示す概略図、（ｂ）は着信楽曲データに含まれるプロパティ情報の中身の一例を示す概略図である。
【図４】（ａ）は第１メニュー画面を示す概略図、（ｂ）は第２メニュー画面を示す概略図である。
【図５】サーバ装置の内部構成を示すブロック図である。
【図６】（ａ）は総合サイトのトップページを示す概略図、（ｂ）は検索が未ヒットの場合のサイト画面を示す概略図である。
【図７】（ａ）は特別サイトのサイト画面を示す概略図、（ｂ）は一般サイトのサイト画面を示す概略図である。
【図８】検索テーブルの中身を示す図表である。
【図９】サイト検索方法の処理手順を示すフローチャートである。
【図１０】変形例のサイト検索システムを示す概略図である。
【図１１】検索結果を載せたサイト画面を示す概略図である。
【符号の説明】
【００７５】
１  サイト検索システム
３  携帯端末装置
３ａ  ＣＰＵ
３ｂ  通信部
８  アクセスプログラム
８ａ、２１ａ  ユーザＩＤ条件
９  ユーザＩＤ
１０  サーバ装置
１１  ＭＰＵ
１２  通信インタフェース
１５  ハードディスク装置
２１  サーバプログラム
２２  画面データベース
２３  検索テーブル
２４  着信楽曲データベース
２５  フル楽曲データベース
２６  映像データベース
Ｄ  着信楽曲データ
Ｐ  プロパティ情報
【図１】
2007299336.tif 000003
【図２】
2007299336.tif 000004
【図３】
2007299336.tif 000005
【図４】
2007299336.tif 000006
【図５】
2007299336.tif 000007
【図６】
2007299336.tif 000008
【図７】
2007299336.tif 000009
【図８】
2007299336.tif 000010
【図９】
2007299336.tif 000011
【図１０】
2007299336.tif 000012
【図１１】
2007299336.tif 000013